(57)【特許請求の範囲】
【請求項１】
複数階でなる建物の上階床構造体に遮音板を設けた建物の床衝撃音遮断構造において、
上階床構造体が、床大梁と、この間に架け渡された複数の床小梁とからなり、
遮音板の両側縁部に取り付けられた桟材が、隣接する床小梁間に架け渡されるとともに、
互いに隣接する桟材の一方の前記架け渡される部分と、他方の前記掛け渡される部分とが、前記床小梁の軸方向と垂直な方向に重なり可能に設けられることを特徴とする床衝撃音遮断構造。
【請求項２】
建物が、柱と床構造体と天井構造体とを箱型に組み合わせた建物ユニットを上下に積層して構成されるユニット建物であることを特徴とする請求項１記載の建物の床衝撃音遮断構造。
【発明の詳細な説明】
【０００１】
【発明の属する技術分野】
本発明は、建物の床衝撃音遮断構造に関する。
【０００２】
【従来の技術】
従来、ユニット建物等の建物の床衝撃音遮断構造として、特許第２５７３７４５号公報（登録日  平成８年１０月２４日）に記載の如く、上階建物ユニットの床構造体に遮音板を設けたものが知られている。
【０００３】
【発明が解決しようとする課題】
しかしながら、上記公報記載の床衝撃音遮断構造は、遮音板を床小梁の上に設置される床根太と干渉することなく取り付けるため、床小梁の側面に木桟を取り付け、木桟の上に遮音板を載せて上面より釘固定するという複雑な作業が必要であった。
【０００４】
本発明は、上記従来技術の問題を解決するためになされたものであって、本発明の目的は、遮音板の取付け作業が容易な床衝撃音遮断構造を提供することである。
【０００５】
【課題を解決するための手段】
請求項１記載の発明は、複数階でなる建物の上階床構造体に遮音板を設けた建物の床衝撃音遮断構造において、
上階床構造体が、床大梁と、この間に架け渡された複数の床小梁とからなり、
遮音板の両側縁部に取り付けられた桟材が、隣接する床小梁間に架け渡されるとともに、
互いに隣接する桟材の一方の前記架け渡される部分と、他方の前記掛け渡される部分とが、前記床小梁の軸方向と垂直な方向に重なり可能に設けられるものである。
【０００７】
上記請求項１記載の床衝撃音遮断構造において、遮音板を床小梁と直交して配置される床根太から外れた位置に設置するとよい。すると、遮音板と床根太とが干渉しないので、床根太の上に支障なく床下地材または床面材を貼設できる。
【０００８】
請求項２記載の発明は、請求項１記載の建物の床衝撃音遮断構造において、建物が、柱と床構造体と天井構造体とを箱型に組み合わせた建物ユニットを上下に積層して構成されるユニット建物であることを特徴とする。
【００１０】
（作用）
請求項１記載の建物の床衝撃音遮断構造は、遮音板の両側縁部に取り付けられた桟材が、隣接する床小梁間に架け渡されているので、桟材を床小梁に載せて釘等で固定しさえすれば遮音板を取り付けでき、取付け作業が容易となる。
【００１１】
請求項２記載の建物の床衝撃音遮断構造は、さらに、建物が、柱と床構造体と天井構造体とを箱型に組み合わせた建物ユニットを上下に積層して構成されるユニット建物であるから、遮音板を予め工場等で建物ユニットに取り付ける場合は、遮音板の取付け作業が容易となることで建物ユニットの生産性が向上する。また、遮音板を施工現場で取り付ける
場合は、遮音板の取付け作業が容易となることでユニット建物の現場工期を短縮する。
【００１２】
【発明の実施の形態】
以下、本発明の実施の形態について図面を参照しながら詳細に説明する。
図１は本発明の一実施例であって、遮音材が取り付けられる床構造体の要部斜視図、図２は図１のＡ−Ａ線における断面図、図３は図１のＢ−Ｂ線における断面図、図４は建物ユニットの模式図、図５はユニット建物の模式図である。
【００１３】
図５に示すユニット建物１０は、基礎１１の上部に複数の下階建物ユニット１２を隣接配置し、それら下階建物ユニット１２の上部に複数の上階建物ユニット１３を隣接配置し、更にそれら上階建物ユニット１３の上部に複数の屋根ユニット１４を搭載している。
ここで、建物ユニット１２、１３は、図４に示すように、軸組式からなり、４本の角鋼管製柱１５を４隅に配置し、各柱１５の下端部に設けた溝形状鋼板製連結片１６に床構造体１７の４隅を接合するとともに、各柱１５の上端部に設けた溝形状鋼板製連結片１８に天井構造体１９の４隅を接合することにて、箱形をなす如くに構成されている。
【００１４】
床構造体１７は、４本の溝形鋼製床大梁２０を上記連結片１６の内側に嵌合し、溶接して外枠を形成している。また、床構造体１７は、複数の相互に並列配置される床小梁２１のそれぞれを相対する床大梁２０、２０のそれぞれに溶接している。
さらに、床構造体１７は、複数の相互に並列配置される木製床根太２３のそれぞれを各床小梁２１の上部に接着剤または釘打ちにて固定し、各床根太２３の上部に床板２２を接着剤または釘打ちにて固定している。
【００１５】
天井構造体１９は、４本の溝形鋼製天井大梁２５を上記連結片１８の内側に嵌合し、溶接して外枠を形成している。また、天井構造体１９は、複数の相互に並列配置される天井根太２６のそれぞれを相対する天井大梁２５の下フランジに接着剤または釘打ちにて固定している。
さらに、天井構造体１９は、各天井根太２６の下部に天井板を接着剤または釘打ちにて固定している。
【００１６】
なお、下階建物ユニット１２の天井構造体１９には遮音材を設けている。この遮音材としては、例えば、天井裏石膏ボードと合板とから構成される。石膏ボードは枠組された天井大梁により囲まれる枠組空間を略全面的に閉塞する如くに天井根太の上部に釘打ち固定される。また、合板は、上記石膏ボードの上部に釘打ち固定される。
【００１７】
然るに、ユニット建物１０にあっては、図１〜図３に示す如く、上階建物ユニット１３の床構造体１７に遮音板として、衝撃音減衰板３１と、この衝撃音減衰板３１の上面中央部に取り付けられた衝撃音減衰板３２とからなる複合板を設けている。衝撃音減衰板３１はパーティクルボードであり、衝撃音減衰板３２は石膏ボードで形成されている。
上記遮音板は、パーティクルボード、石膏ボードの他、硬質木片セメント板等、またはこれらの複合板、またはこれらと鉄板との複合体のいずれかからなり、隣接する床小梁２１の上面に跨がって取付け可能になされている。
【００１８】
また、上記衝撃音減衰板３１（遮音材）の両側縁部には、木製桟材３３、３３が取り付けられている。この桟材３３は、隣接する床小梁間に架け渡される床小梁取付け用角材と、この床小梁取付け用角材の中央下部に設けられた遮音材取付け用角材とからなっている。
なお、上記床小梁取付け用角材の垂直方向の厚さは、床根太２３の垂直方向の厚さより小になされ、床板２２を床根太２３の上面に貼設するときに支障のないようになされている。
【００１９】
上記床構造体１７に遮音材を設けたユニット建物１０の床衝撃音遮断構造の施工方法について説明する。
先ず、桟材３３には、予め衝撃音減衰板３１（遮音材）の両側縁部を接着剤または釘打ちにて取り付ける。この遮音材が取り付けられた桟材３３を、図１と図２に示すように、床根太２３の方向に向け、床根太２３、２３の間に配置し、隣接する床小梁２１、２１の間に架け渡し、釘３４を打ち込んで桟材３３を床小梁２１に固定する。
その際、遮音材の衝撃音減衰板３１のパーティクルボードと床小梁２１とは接触しないように固定する。接触すると、床衝撃音に起因するパーティクルボードの上下振動が抑制されてしまい、高い床衝撃音遮断性能が得られなくなる。
なお、同様の手順で遮音材を床大梁２０（桁側）の方向に複数設置するが、この際、隣接する一方の桟材３３の側方に他方の桟材３３を設置して配置する。そして、床構造体１７の床根太２３の上に床板２２を貼設して床仕上げする。
【００２０】
（実施例の作用）
本実施例のユニット建物１０の床衝撃音遮断構造は、衝撃音減衰板３１（遮音材）が隣接する床小梁２１の上面に跨がって取付け可能になされている。すなわち、床小梁２１の上面に遮音板の両縁部に取り付けられた桟材３３を載せ、上から釘３４等を打ち込んで床小梁２１に固定するだけで遮音板を取り付けることができるので、遮音板の取付け作業が上面からの作業のみとなりきわめて容易である。
また、これによって上階建物ユニット１３の生産性が向上する。
【００２１】
【発明の効果】
請求項１記載の建物の床衝撃音遮断構造は、遮音板の両側縁部に取り付けられた桟材が、隣接する床小梁間に架け渡されているので、桟材を床小梁に載せて釘等で固定しさえすれば遮音板を取り付けでき、取付け作業が容易となる。
【００２３】
請求項２記載の建物の床衝撃音遮断構造は、さらに、建物が、柱と床構造体と天井構造体とを箱型に組み合わせた建物ユニットを上下に積層して構成されるユニット建物であるから、遮音板を予め工場等で建物ユニットに取り付ける場合は、遮音板の取付け作業が容易となることで建物ユニットの生産性が向上する。また、遮音板を施工現場で取り付ける場合は、遮音板の取付け作業が容易となることでユニット建物の現場工期を短縮する。
【図面の簡単な説明】
【図１】本発明の一実施例であって、遮音材が取り付けられる床構造体の要部斜視図。
【図２】図１のＡ−Ａ線における断面図。
【図３】図１のＢ−Ｂ線における断面図。
【図４】建物ユニットの模式図。
【図５】ユニット建物の模式図。
【符号の説明】
１０        ユニット建物
１２、１３  建物ユニット
１７        床構造体
２０        床大梁
２１        床小梁
３１、３２  衝撃音減衰板３１（遮音材）
３３        桟材
【図１】
0003967824.tif 000002
【図２】
0003967824.tif 000003
【図３】
0003967824.tif 000004
【図４】
0003967824.tif 000005
【図５】
0003967824.tif 000006